(57)【要約】本発明の実施形態は、ユーザが異なる使用シナリオに応じて表示画面の視野角を自由に設定できるようにする、覗き防止フィルム、表示装置、端末及び端末表示方法を提供する。本発明の実施形態の方法によれば、ドライバ層および保持壁構造が含まれ、ドライバ層には複数の保持壁構造が設けられている。保持壁構造が透明キャビティである場合、透明キャビティは透明充填液体と不透明粒子とで満たされ、不透明粒子は電荷のように運ばれる。ユーザは、覗き見防止フィルムを剥がしてから、覗き防止フィルムを装着することなく、異なる使用シナリオに従って、表示画面の異なる視野角を自由に設定することができる。
2019514044.tif 000002
【特許請求の範囲】
【請求項１】
ドライバ層および保持壁構造を備えた覗き見防止フィルムであって、
前記ドライバ層には複数の保持壁構造が設けられ、
前記保持壁構造は透明キャビティであり、前記透明キャビティには透明充填液および不透明粒子が充填され、前記不透明粒子は電荷を運ぶ、覗き見防止フィルム。
【請求項２】
前記ドライバ層は、
透明キャリアと配線層とを含み、前記配線層は前記透明キャリア内に配置され、電圧が前記配線層に印加されるとき、前記保持壁構造内の前記不透明粒子の配分状態が変化する、請求項１に記載の覗き見防止フィルム。
【請求項３】
表示画面および請求項１または２に記載の前記覗き見防止フィルムを備えた表示装置であって、
前記覗き見防止フィルムは前記表示画面に装着され、前記覗き見防止フィルムの任意の保持壁構造に対して、前記保持壁構造と完全に重なり合う前記表示画面に常に黒画素領域が存在する、表示装置。
【請求項４】
前記覗き見防止フィルムが前記表示画面に装着されることは、
前記覗き見防止フィルムが前記表示画面に装着され、前記覗き見防止フィルムの前記保持壁構造と前記表示画面の黒画素領域とが対応して完全に重ね合わされることを含む、請求項３に記載の表示装置。
【請求項５】
請求項３または４に記載の前記表示装置を備えた端末。
【請求項６】
さらにプロセッサおよびバスを備え、
前記プロセッサは、前記バスを用いて前記表示装置に接続され、
前記プロセッサは、視角調整命令を取得するように構成され、
前記プロセッサはさらに、前記視角調整命令に応じて前記配線層での電圧を調整するように構成され、それにより前記透明充填液中の複数の不透明粒子の配分方法を制御し、前記透明充填液中の前記不透明粒子の配分方法は、前記端末の表示視角を決定する、請求項５に記載の端末。
【請求項７】
端末表示方法であって、前記端末は請求項５または６に記載の前記端末であり、前記方法は、
視角調整命令を取得するステップと、
前記透明充填液中の複数の不透明粒子の配分方法を制御するように前記視角調整命令に応じて前記配線層での電圧を調整するステップであり、前記透明充填液中の前記不透明粒子の前記配分方法は、前記端末の表示視角を決定する、ステップと
を含む方法。
【発明の詳細な説明】
【技術分野】
【０００１】
本発明は、光学保護膜技術の分野に関し、特に、覗き見防止フィルム、表示装置、端末、および覗き見防止フィルムの製造方法に関する。
【背景技術】
【０００２】
携帯電話やタブレットコンピュータなどの現在の端末装置は、一般に、視野角の広い表示画面を使用する。大きな視野角は、読書または閲覧のための非常に優れた表示効果を提供し得る。しかし、ユーザが画面の表示効果を享受している間に、周囲の人々もまた、表示画面に表示された内容をはっきりと見得る。これがプライバシーの潜在的リスクを非常に高める。
【０００３】
現在、市場では、携帯電話やタブレットなどの端末装置の表示画面の視野角を狭くする解決策は、端末装置に覗き見防止フィルムを装着すること、例えば、ノートパソコンに覗き見防止フィルムを装着することである。覗き見防止フィルムは、表示画面の視野角を狭くするために、ほとんどのＡＴＭ機械の画面の表面にも装着されており、オペレータの視野角においてのみ表示された内容をはっきりと見ることができ、それによりプライバシーを保護する。覗き見防止フィルムの原理は分極効果であり、視野角を狭めることはできるが、視野角は１つの範囲しか持たない。また、覗き見防止フィルムを表示画面の表面に装着すると、覗き見防止フィルムが剥がされない限り、この範囲しか使用することができず、これは、コストを浪費し、操作の困難性を増大する。
【発明の概要】
【０００４】
本発明の実施形態は、ユーザがディスプレイの異なる視野角を自由に設定できるように、覗き見防止フィルム、表示装置、端末、および覗き見防止フィルムの製造方法、および端末表示方法を提供し、それによりユーザは異なる使用シナリオに従って表示画面の異なる視野角を自由に設定できる。
【０００５】
この点を考慮して、本願の第１の態様は覗き見防止フィルムを提供し、覗き見防止フィルムは、
ドライバ層および保持壁構造を含み、ドライバ層には複数の保持壁構造が設けられ、保持壁構造は透明キャビティであり、透明キャビティには透明充填液および不透明粒子が充填され、不透明粒子は電荷を運ぶ。
【０００６】
覗き見防止フィルムを用いる場合、保持壁構造は画素の横にある。保持壁構造は透明の場合があり、ある角度からの画素視認を阻止し、かつ覗き見防止フィルムの覗き見防止機能を実装するために、要求に応じて保持壁構造内の不透明粒子の配分方法を変更する。保持壁構造は、保持壁構造内の不透明粒子の異なる配分方法に従って、覗き見防止フィルムの視野角を決定してもよいことに留意されたい。不透明粒子は、透明充填液中を自由に移動し得るため、電圧によって不透明粒子に外力が加えられる場合、不透明粒子の配分方法は要求に応じて決定され得る。
【０００７】
本願の第１の態様を参照し、本願の第１の態様の第１の実装において、ドライバ層は、
透明キャリアと配線層とを含み、配線層は透明キャリア内に配置され、電圧が配線層に印加されると、保持壁構造内の不透明粒子の配分状態が変化する
【０００８】
透明キャリアは、主に、配線層を担持するように構成されている。電源が投入されると、配線層は、電磁誘導に応じて保持壁構造内の不透明な活性粒子の配分状態に影響を及ぼすことがあり、それによって覗き見防止フィルムの視野角を変化させる。いくつかの実現可能な実施形態において、配線層に配分される配線は、保持壁構造と１対１に対応していてもよいし、保持壁構造と重なり合ってもよく、これは本明細書では限定されない。
【０００９】
覗き見防止フィルムを使用する端末は、ドライバ層でアクセスされるラインの電圧を制御することによって、覗き見防止フィルムの保持壁構造の透明度を制御し得る。したがって、ユーザは、覗き見防止フィルムを剥がして、その後覗き見防止フィルムを装着することなく、異なる使用シナリオに従って、表示画面の異なる視野角を自由に設定することができる。また、覗き見防止フィルムを表示画面に装着すると、各保持壁構造が表示画面の黒画素領域と完全に重なり合うため、保持壁構造が画素発光領域と重なり合うことがなくなり、解像度と輝度は影響を受けない。
【００１０】
本願の第２の態様は表示装置を提供し、表示装置は、
表示画面および本願の第１の態様または第１の態様の第１の実装で提供される覗き見防止フィルムを含む。
【００１１】
覗き見防止フィルムは表示画面に装着され、覗き見防止フィルムの任意の保持壁構造に対して、保持壁構造と完全に重なり合う表示画面には常に黒画素領域がある。覗き見防止フィルムを使用する端末は、ドライバ層でアクセスされた配線の電圧を制御することにより覗き見防止フィルム内の保持壁構造の透明度を制御し得る。覗き見防止フィルムが表示画面に装着され、覗き見防止フィルムの保持壁構造と表示画面の黒画素領域が対応して完全に重ね合わされる。
【００１２】
覗き見防止フィルムと表示画面との間には、覗き見防止フィルムと表示画面とを接着するように透明接着層がある。覗き見防止フィルムおよび表示画面は、透明接着層とも呼ばれる光学透明接着剤を用いて接着し得る。光学透明接着剤は、本明細書では、光学透明接着剤（英語：ｏｐｔｉｃａａｌ  ｃｌｅａｒ  ａｄｈｅｓｉｖｅ、略してＯＣＡ）であってもよいし、光学透明樹脂（英語：Ｏｐｔｉｃａｌ  Ｃｌｅａｒ  Ｒｅｓｉｎ、略してＯＣＲ）であってもよい。
【００１３】
覗き見防止フィルムを使用する端末は、ドライバ層でアクセスされるラインの電圧を制御することによって、覗き見防止フィルムの保持壁構造の透明度を制御し得る。したがって、ユーザは、覗き見防止フィルムを剥がして、その後覗き見防止フィルムを装着することなく、異なる使用シナリオに従って、表示画面の異なる視野角を自由に設定することができる。また、覗き見防止フィルムを表示画面に装着すると、各保持壁構造が表示画面の黒画素領域と完全に重なり合うため、保持壁構造が画素発光領域と重なり合うことがなくなり、解像度と輝度は影響を受けない。
【００１４】
ユーザは、覗き見防止フィルムを剥がして、その後覗き見防止フィルムを装着することなく、異なる使用シナリオに従って、表示画面の異なる視野角を自由に設定することができる。覗き見防止フィルムを表示画面に装着すると、各保持壁構造が表示画面の黒画素領域と完全に重なり合うため、保持壁構造が画素発光領域と重なり合うことが防止され、解像度と輝度は影響を受けない。
【００１５】
本願の第３の態様は端末を提供し、端末は、
プロセッサ、バス、および本願の第２の態様による表示装置を含み、プロセッサは、バスを用いて表示装置に接続され、プロセッサは、視角調整命令を得るように構成され、プロセッサはさらに、視角調整命令に応じて配線層での電圧を調整するように構成され、それにより透明充填液中の複数の不透明粒子の配分方法を制御し、透明充填液中の透明粒子の配分方法は、端末の表示視角を決定する。
【００１６】
覗き見防止フィルムを使用する端末は、ドライバ層でアクセスされるラインの電圧を制御することによって、覗き見防止フィルムの保持壁構造の透明度を制御し得る。したがって、ユーザは、覗き見防止フィルムを剥がして、その後覗き見防止フィルムを装着することなく、異なる使用シナリオに従って、表示画面の異なる視野角を自由に設定することができる。また、覗き見防止フィルムを表示画面に装着すると、各保持壁構造が表示画面の黒画素領域と完全に重なり合うため、保持壁構造が画素発光領域と重なり合うことがなくなり、解像度と輝度は影響を受けない。
【００１７】
本願の第４の態様は端末表示方法を提供し、端末表示方法は、
視角調整命令を得るステップと、透明充填液中の複数の不透明粒子の配分方法を制御するように視角調整命令に応じて配線層での電圧を調整するステップであり、透明充填液中の透明粒子の配分方法は、端末の表示視角を決定する、ステップとを含む。
【００１８】
いくつかの実現可能な実施形態において、端末によって受信された命令が表示視野角を狭める場合、透明充填液体中の不透明粒子をドライバ層から離間させるために、不透明粒子によって運ばれる電荷の電気特性と同じ電気特性の電圧が配線層に印加される。このように、保持壁構造は特定の高さを有する不透明な保持壁を形成し、保持壁の高さは端末の表示視野角を決定する。
【００１９】
上記の技術的解決策から、本発明の実施形態は以下の利点を有することが分かり得る。
【００２０】
覗き見防止フィルムを使用する端末は、ドライバ層でアクセスされるラインの電圧を制御することによって、覗き見防止フィルムの保持壁構造の透明度を制御し得る。したがって、ユーザは、覗き見防止フィルムを剥がして、その後覗き見防止フィルムを装着することなく、異なる使用シナリオに従って、表示画面の異なる視野角を自由に設定することができる。また、覗き見防止フィルムを表示画面に装着すると、各保持壁構造が表示画面の黒画素領域と完全に重なり合うため、保持壁構造が画素発光領域と重なり合うことがなくなり、解像度と輝度は影響を受けない。
【図面の簡単な説明】
【００２１】
【図１】図１は、本願の実施形態による覗き見防止フィルムの実施形態の概略図である。
【図２】図２は、本願の実施形態による表示装置の実施形態の概略図である。
【図３】図３は、本願の実施形態による表示装置の概略上面図である。
【図４】図４は、本願の実施形態による端末の実施形態の概略図である。
【図５】図５は、本願の実施形態による覗き見防止フィルムの製造技術の概略図である。
【図６】図６は、本願の実施形態による表示装置の製造技術の概略図である。
【図７】図７は、本願の実施形態による端末表示方法の実施形態の概略図である。
【図８】図８は、本願の実施形態による視野角制御原理の概略図である。
【図９】図９は、本願の実施形態による視野角制御原理の別の概略図である。
【発明を実施するための形態】
【００２２】
本発明の実施形態は、ユーザが異なる使用シナリオに従って表示画面の異なる視野角を自由に設定できるように、覗き見防止フィルム、覗き見防止フィルム製造方法、および端末表示方法を提供する。
【００２３】
当業者が本発明の実施形態の技術的解決策をよりよく理解するために、以下、本発明の実施形態における技術的解決策を本発明の実施形態における添付図面を参照して明確かつ十分に説明する。明らかに、説明される実施形態は、単に本発明の実施形態のいくつかではあるがすべてではない。創造的な努力をせずに本発明の実施形態に基づいて当業者によって得られる他のすべての実施形態は、本発明の保護範囲に包含されるべきものである。
【００２４】
本発明の明細書、特許請求の範囲および添付図面において、「第１の」、「第２の」、「第３の」、「第４の」などの用語は（もしあれば）、類似のオブジェクト間で区別することを意図しているが、必ずしも特定の順番または順序を示すとは限らない。そのように称されるデータは、本明細書に記載された本発明の実施形態が、本明細書に図示または記載された順序とは異なる順序で実施されることができるように、適切な状況において代替可能であることを理解されたい。さらに、「備える」、「含む」という用語および任意の他の変形例は、非排他的な包含物を含むことを意味し、例えば、ステップまたはユニットのリストを含むプロセス、方法、システム、製品、またはデバイスは、これらのユニットに必ずしも限定されるものではなく、明示的に列挙されていない、あるいはそのようなプロセス、方法、システム、製品、またはデバイスに固有の他のユニットを含み得る。
【００２５】
図１に示すように、本願の実施形態は覗き見防止フィルム１００を提供し、覗き見防止フィルム１００は、
ドライバ層１０１および保持壁構造１０２を含み、ドライバ層１０１には複数の保持壁構造１０２設けられる。
【００２６】
本発明のこの実施形態において、覗き見防止フィルム１００が使用される場合、すなわち、覗き見防止フィルムが表示画面に装着され、電圧が配分方法ドライバ層１０１に印加される場合、表示画面の視野角は、覗き見防止フィルム１００を使用することによって変更されることができる。印加された電圧の大きさおよび電気特性の両方は覗き見防止フィルム１００による表示画面の視野角の変化に影響を及ぼすことに留意されたい。
【００２７】
保持壁構造１０２は透明キャビティであり、透明キャビティには透明充填液１０２１および不透明粒子１０２２が充填され、不透明粒子１０２２は電荷を運ぶ。
【００２８】
本発明のこの実施形態において、透明充填液１０２１は透明な非腐食性溶液であってもよく、これは本明細書では限定されない。本発明のこの実施形態において、不透明粒子は、純黒の粒子であってもよく、白色粒子であってもよく、または混色の粒子であってもよく、粒子が不透明な活性粒子であれば別の材料のものであってもよく、これは本明細書では限定されない。また、不透明粒子１０２２の形状は球体であってもよく、立方体であってもよく、不透明粒子１０２２が十分に小さく、透明充填液１０２１中で流動するのであれば、これは本明細書では限定されない。不透明粒子１０２２の材料は活性金属であってもよく、または電荷を運ぶことができる別の材料であってもよく、これは本明細書では限定されない。不透明粒子１０２２を活性状態にできることは常識であることに留意し、詳細は本明細書では説明されない。
【００２９】
本発明のこの実施形態において、保持壁構造１０２が覗き見防止フィルム１００による表示画面の視野角の変化を決定する。いくつかの実現可能な実施形態において、覗き見防止フィルム１００が表示画面に装着されると、保持壁構造１０２は、表示画面の画素の横にある。一般に、保持壁構造１０２はドライバ層１０１に垂直に配置される。もちろん、保持壁構造１０２はまた、ドライバ層１０１に傾斜して配置されてもよい。保持壁構造１０２には透明充填液１０２１および不透明粒子１０２２が充填され、不透明粒子１０２２の配分方法は、ドライバ層１０１の駆動によって変更されてもよい。
【００３０】
具体的には、ドライバ層１０１に電圧が印加されていない場合には、ドライバ層１０１に近接する保持壁構造１０２の底部に不透明粒子１０２２が残り、ドライバ層１０１に電圧が印加されると、不透明粒子１０２２の配分状態が変化し、例えば、表示画面のある角度から視界を遮るために、不透明粒子１０２２が、保持壁構造１０２の中間部または上部に移動するように駆動されるか、または保持壁構造１０２内に均等に配分され、それにより覗き見防止効果を実現する。
【００３１】
本発明のこの実施形態において、複数の保持壁構造１０２がドライバ層１０１の一方の側に配置され、保持壁構造１０２内の不透明粒子１０２２の配分方法の変化がドライバ層１０１によって駆動されてもよい。具体的には、電圧がドライバ層１０１に印加されると、保持壁構造１０２内の不透明粒子１０２２の配分方法が直接的に影響を受けて、覗き見防止フィルム１００の視野角を決定する。不透明粒子１０２２は、ドライバ層１０１に印加される電圧の大きさに応じて柔軟に制御されることができる。したがって、覗き見防止フィルム１００の視野角も柔軟に制御されることができる。一般に、複数の保持壁構造１０２が必要とされ、好ましくは、適用される場合は、保持壁構造は表示画面の非画素領域、すなわち、黒色画素領域に正確に配分されるため、保持壁構造は、広角モードではいかなる画素も遮らず、角度は、狭角モードでは十分に制御される。他の実現可能な実施形態では、必要に応じて、保持壁構造１０２は、縦方向の黒色画素領域のストリップのみに配置されてもよいし、または保持壁構造１０２は、横方向の黒色画素領域のストリップのみに配置されてもよく、または保持壁構造１０２は、別の要件に応じて配置されてもよく、これは本明細書では限定されない。
【００３２】
ドライバ層１０１は、透明キャリア１０１１および配線層１０１２を含む。配線層１０１２は、透明キャリア１０１１内に配置され、保持壁構造１０２中の不透明粒子１０２２の配分状態は、電圧が配線層１０１２に印加されると変化する。
【００３３】
本発明のこの実施形態において、ドライバ層１０１は、透明キャリア１０１１および配線層１０１２を含む。透明キャリア１０１１の材料は、ポリエチレンテレフタレート（英語：Ｐｏｌｙｅｔｈｙｌｅｎｅ  ｔｅｒｅｐｈｔｈａｌａｔｅ、略してＰＥＴ）であってもよいし、またはガラスであってもよく、材料が非導電性で透明であれば、本明細書では限定されない。配線層１０１２は、導電体であり、金属または別の非金属導電体材料から形成されてもよく、これは本明細書では限定されない。
【００３４】
配線層１０１２は、透明キャリア１０１１内に配置され、配線層１０１２は、透明キャリア内に配置され、電圧が配線層１０１２に印加されると、保持壁構造１０２内の不透明粒子１０２２の配分状態が変化する。
【００３５】
本発明のこの実施形態において、透明キャリア１０１１は、主に配線層１０１２を担持するように構成されている。電源が投入されると、配線層１０１２は、電磁誘導に応じて保持壁構造１０２内の不透明な活性粒子１０２２の配分状態に影響を及ぼすことがあり、それによって覗き見防止フィルム１００の視野角を変化させる。いくつかの実現可能な実施形態において、配線層１０１２に配分される配線は、保持壁構造１０２と１対１に対応していてもよいし、保持壁構造１０２と重なり合ってもよく、これは本明細書では限定されない。しかしながら、配線層１０１２に配分する線が保持壁構造１０２に影響を及ぼすことができない場合、配線は無用であるため、一般に、配線は画素領域には配置されず、保持壁構造が画素領域に配置される場合、本発明では、保持壁構造もまた無用であるため、一般に、保持壁構造１０２は画素領域には配置されない。
【００３６】
保持壁構造１０２は透明キャビティであり、透明キャビティには透明充填液１０２１および複数の不透明粒子１０２２が充填され、不透明粒子１０２２のすべては電荷を運ぶ。
【００３７】
本発明のこの実施形態において、外力が電圧によって不透明粒子１０２２にかけられると、不透明粒子１０２２の配分方法が要件に応じて決定され得るように、不透明粒子１０２２は、透明充填液１０２１中を自由に移動し得る。
【００３８】
不透明粒子１０２２の機能は、覗き見防止フィルム１００が正当な役割を果たすことができるように、不透明粒子１０２２に隣接する画素について、他の方向からの視野を遮ることであることに留意されたい。したがって、他の条件が一定である場合、不透明粒子１０２２のより高い不透明性は、より良好な覗き見防止機能を示す。
【００３９】
図５に示すように、いくつかの実現可能な実施形態において、覗き見防止フィルム１００の製造技術は、光学透明接着剤を使用して透明ベースフィルムの層を作成し、透明ベースフィルムの一方の面に複数の溝を配置し、すべての溝に透明充填液１０２１を充填し、複数の不透明粒子１０２２を透明充填液１０２１中に配置し、不透明粒子１０２２が電荷を運び、透明な固体材料を用いて透明キャリアの層を作成し、透明キャリア内に配線層を配置し、透明ベースフィルムの溝が設けられた側に透明キャリアを装着することである。
【００４０】
いくつかの実現可能な実施形態において、透明ベースフィルムの素材として光学透明接着剤ＯＣＡを用い、透明ベースフィルムの片面に保持壁構造１０２の溝を設け、光学透明樹脂ＯＣＲとしてもよい。透明充填液１０２１が溝内に充填されているので、透明充填液中の対象物が自由に動くことができ、覗き見防止フィルム１００を作用させることができる。実現可能ないくつかの実施形態では、溝は直方体であってもよく、または円筒であってもよく、上面図の観点から、溝はトレンチであってもよく、または使用中に溝が黒色画素領域にあることを前提にする別の形状であってもよい。これは本明細書では限定されない。他の条件が一定である場合、保持壁構造１０２が配置されている黒色画素領域がより多いことは、より良好な覗き見防止効果を示すことに留意されたい。本発明のこの実施形態では、透明ベースフィルムが接着剤の役割を果たすとともに、透明ベースフィルムがキャビティとして用いられ、透明充填液１０２１および不透明粒子１０２２を収容する役割を果たす。透明ベースフィルムは、上記の役割を果たすことができれば、他の材料であってもよく、本明細書では限定されない。
【００４１】
透明充填液１０２１中に複数の不透明粒子１０２２が配置され、不透明粒子１０２２は電荷を運ぶ、すなわち正の電荷を運んでも負の電荷を運んでもよいが、これに限定されるものではない。溝に充填液１０２１が充填され、充填液１０２１に不透明な活性粒子１０２２が配置されている場合、本発明のこの実施形態では、溝は保持壁構造１０２である。実現可能ないくつかの実施形態では、透明固体材料は、ポリエチレンテレフタレートＰＥＴであってもよく、または材料が透明で断熱されていればガラスであってもよく、これは本明細書では限定されない。
【００４２】
本発明のこの実施形態において、配線層１０１２は導体であり、金属または他の非金属導体材料から形成されてもよく、これは本明細書では限定されない。電圧がライン配線層１０１２に印加されると、不透明粒子１０２２は、対応して電圧に応じて反応する。すなわち、印加された電圧の電気特性が不透明粒子１０２２によって運ばれる電荷の電気特性と同じである場合、不透明粒子１０２２はドライバ層１０１から離間するように駆動され、反対に、不透明粒子１０２２は、ドライバ層１０１に近づくように吸着される。
【００４３】
保持壁構造１０２内の不透明粒子１０２２の位置を制御するようにドライバ層１０１の配線層１０１２に交流電流を印加し得ることに留意されたい。他の実現可能な実施形態では、配線層は２つの層に分割されてもよい。一方の層には、不透明粒子１０２２と同じ電気特性を有する電荷が印加され、他方の層には、不透明粒子１０２２とは逆の電気特性を有する電荷が印加され、保持壁構造１０２内の不透明粒子１０２２の位置を制御する。これは本明細書に限定されない。
【００４４】
いくつかの実現可能な実施形態において、電気特性が不透明粒子１０２２に担持された電荷と同じ電荷が配線層に印加されると、不透明粒子１０２２はドライバ層から離間しており、不透明粒子１０２２が 不透明粒子１０２２が所要位置にあるように、不透明粒子１０２２に担持された電荷の電気特性とは反対の電荷を印加し得る。
【００４５】
透明ベースフィルムの一方の面には溝が設けられず、他方の面には溝が設けられ、溝には充填液１０２１が存在する。この場合、他方の面を密封する必要があり、そうでない場合には溝内の液体が漏れることがある。本発明のこの実施形態では、ドライバ層１０１は、溝を密封するように、溝を有する側に取り付けられてもよい。
【００４６】
ユーザは、覗き見防止フィルム１００を剥がし、その後に覗き見防止フィルム１００を装着することなく、異なる使用シナリオに応じて、表示画面の異なる視野角を自由に設定することができる。また、覗き見防止フィルム１０が表示画面に装着される場合、各保持壁構造１０２は、保持壁構造１０２が画素発光領域と重なり合うことが防止されるように黒色画素領域と完全に重なり合い、解像度および輝度は影響を受けない。
【００４７】
以上、本願の実施形態における覗き見防止フィルム１００について説明したが、覗き見防止フィルム１００を備えた本願の実施形態の表示装置２００について以下に説明する。
【００４８】
図２に示すように、本願のこの実施形態は表示装置２００を提供し、表示装置２００は、
覗き見防止フィルム１００と、表示画面２０１とを含み、覗き見防止フィルムは表示画面２０２に装着され、覗き見防止フィルム１００保持壁構造１０２は、１対１の対応関係で表示画面２０１の黒色画素領域と完全に重なり合う。
【００４９】
本発明のこの実施形態では、表示画面２０１は、液晶ディスプレイ（Ｌｉｑｕｉｄ  Ｃｒｙｓｔａｌ  Ｄｉｓｐｌａｙ、ＬＣＤ）、有機発光ダイオード（Ｏｒｇａｎｉｃ  Ｌｉｇｈｔ−Ｅｍｉｔｔｉｎｇ  Ｄｉｏｄｅ、ＯＬＥＤなどの形態で構成し得る。これは本明細書では限定されない。表示画面２０１には画素が配分されており、画素を持たない画素間の場所を黒色画素領域という。本発明のこの実施形態では、覗き見防止フィルム１００の保持壁構造１０２は、黒色画素領域と完全に重なり合ってもよい。好ましくは、図３に示すように、覗き見防止フィルム１００の保持壁構造１０２は、１対１の対応関係で黒色画素領域と完全に重なり合っていてもよい、すなわち、任意の黒色画素領域について、黒色画素領域と完全に重なり合う保持壁構造１０２が存在し、その逆もまたしかりである。
【００５０】
いくつかの実現可能な実施形態において、いくつかの実現可能な実施形態では、覗き見防止フィルム１００は、透明接着層とも呼ばれる光学透明接着剤を使用することによって表示画面２０１に接着し得る。本明細書では、光学透明接着剤は、光学透明接着剤（英語：ｏｐｔｉｃａｌ  ｃｌｅａｒ  ａｄｈｅｓｉｖｅ、略してＯＣＡ）であってもよいし、光学透明樹脂（英語：Ｏｐｔｉｃａｌ  Ｃｌｅａｒ  Ｒｅｓｉｎ、略してＯＣＲ）であってもよく、これは本明細書では限定されない。
【００５１】
図６に示すように、いくつかの実現可能な実施形態では、表示装置の製造技術は以下の通り、すなわち、表示画面２０１を透明接着層でコーティングし、覗き見防止フィルム１００の側面であり、ドライバ層が配置された側を透明接着層に取り付け、覗き見防止フィルム１００の保持壁構造１０２が、１対１の対応関係で表示画面２０１の黒色画素領域と完全に重なり合う。
【００５２】
本発明のこの実施形態では、本明細書中の光学透明接着剤は、表示画面２０１と覗き見防止フィルム１００とを接着する役割を果たす。いくつかの実現可能な実施形態では、光学透明接着剤は流動液体であり、したがって、光学透明接着剤は、表示画面が押圧または揺動される際に、クッションの役目を果たし得る。
【００５３】
ユーザは、覗き見防止フィルム１００を剥がし、その後に覗き見防止フィルム１００を装着することなく、異なる使用シナリオに従って、表示画面２０１の異なる視野角を自由に設定することができる。また、覗き見防止フィルム１００を表示画面２０１に装着すると、各保持壁構造１０２が表示画面２０１の黒色画素領域と完全に重なるため、保持壁構造１０２が画素発光領域と重なることが防止され、解像度および輝度は影響を受けない。
【００５４】
以上、本願の実施形態における表示装置２００について説明したが、本願の実施形態であり、表示装置２００を含む端末について以下に説明する。
【００５５】
図４を参照すると、本発明の実施形態はさらに、端末３００を提供する。説明を容易にするために、本発明の実施形態に関連する部分のみが示されている。開示されていない特定の技術的詳細については、本発明の実施形態の方法部分を参照されたい。端末は、携帯電話、タブレットコンピュータ、ＰＤＡ（Ｐｅｒｓｏｎａｌ  Ｄｉｇｉｔａｌ  Ａｓｓｉｓｔａｎｔ、携帯情報端末）、ＰＯＳ（Ｐｏｉｎｔ  ｏｆ  Ｓａｌｅｓ、販売時点情報管理システム）、車載コンピュータなどを含む任意の端末装置であり得る。例えば、端末は携帯電話である。
【００５６】
図３は、本発明の実施形態において提供される端末に関する携帯電話の部分的な構成のブロック図を示す。図３を参照して、携帯電話は、高周波（Ｒａｄｉｏ  Ｆｒｅｑｕｅｎｃｙ、ＲＦ）回路３０１、メモリ３０２、入力部３０３、表示部３０４、センサ３０５、音声周波数回路３０６、ワイヤレスフィディリティー（ｗｉｒｅｌｅｓｓ  ｆｉｄｅｌｉｔｙ、ＷｉＦｉ）モジュール３０７、プロセッサ３０８、および電源３０９を含む。当業者であれば、図３に示す携帯電話の構造は、携帯電話に限定されるものではなく、図に示す構成要素よりも多くの、または少ない構成要素を含んでもいてもよく、一部の構成要素を組み合わせたり、または異なる構成要素の構造を有していてもよい。
【００５７】
図３を参照して、携帯電話のすべての構成要素が以下に詳細に説明される。
【００５８】
ＲＦ回路１３０１は、情報を送受信し、または呼の間に信号を送受信するように構成されてもよい。特に、ＲＦ回路３０１は、基地局のダウンリンク情報を受信し、処理するためにダウンリンク情報をプロセッサ３０８に送信し、基地局にアップリンクデータを送信する。一般に、ＲＦ回路３０１は、アンテナ、少なくとも１つの増幅器、トランシーバ、カプラ、低雑音増幅器（Ｌｏｗ  Ｎｏｉｓｅ  Ａｍｐｌｉｆｉｅｒ、ＬＮＡ）、およびデュプレクサを含むが、これらに限定されない。さらに、ＲＦ回路３０１は、無線通信によってネットワークまたは他の装置とさらに通信することができる。前述の無線通信は、汎欧州デジタル移動電話方式（Ｇｌｏｂａｌ  Ｓｙｓｔｅｍ  ｏｆ  Ｍｏｂｉｌｅ  ｃｏｍｍｕｎｉｃａｔｉｏｎ、ＧＳＭ）、汎用パケット無線サービス（Ｇｅｎｅｒａｌ  Ｐａｃｋｅｔ  Ｒａｄｉｏ  Ｓｅｒｖｉｃｅ、ＧＰＲＳ）、符号分割多重アクセス（Ｃｏｄｅ  Ｄｉｖｉｓｉｏｎ  Ｍｕｌｔｉｐｌｅ  Ａｃｃｅｓｓ、ＣＤＭＡ）、広帯域符号分割多重アクセス（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ）、ロングタームエボリューション（Ｌｏｎｇ  Ｔｅｒｍ  Ｅｖｏｌｕｔｉｏｎ、ＬＴＥ）、電子メール、およびショートメッセージングサービス（Ｓｈｏｒｔ  Ｍｅｓｓａｇｉｎｇ  Ｓｅｒｖｉｃｅ、ＳＭＳ）を含むが、これらに限定されない任意の通信規格またはプロトコルを使用し得る。
【００５９】
メモリ３０２は、ソフトウェアプログラムおよびモジュールを格納するように構成し得る。プロセッサ３０８は、メモリ３０２に記憶されたソフトウェアプログラムおよびモジュールを実行することによって、携帯電話の様々な機能アプリケーションおよびデータ処理を実行する。メモリ３０２は、主に、プログラム記憶領域およびデータ記憶領域を含み得る。プログラム記憶領域は、オペレーティングシステム、少なくとも１つの機能（音声再生機能および画像再生機能など）によって要求されるアプリケーションプログラムなどを格納してもよく、データ記憶領域は、携帯電話の使用に応じて作成されたデータ（音声データおよび電話帳など）などを格納してもよい。なお、ストレージ３０２は、高速ランダムアクセスメモリを含んでもよく、少なくとも１つの磁気ディスクストレージコンポーネント、フラッシュメモリコンポーネント、または別の揮発性固体ストレージコンポーネントなどの不揮発性メモリをさらに含んでもよい。
【００６０】
入力部３０３は、入力されたデジタルまたは文字情報を受信し、携帯電話のユーザ設定および機能制御に関連するキー信号入力を生成するように構成されてもよい。具体的には、入力部３０３は、タッチパネル３０３１と、別の入力デバイス３０３２とを備えていてもよい。タッチ画面とも呼ばれるタッチパネル３０３１は、ユーザによりタッチパネル３０３１上またはその近傍で行われるタッチ操作（例えば、指またはスタイラスなどの任意の適切なオブジェクトまたはアクセサリを用いてユーザによりタッチパネル３０３１上またはその近傍で行われる操作）を収集してもよく、予め設定されたプログラムに従って対応する接続装置を駆動し得る。任意選択的に、タッチパネル３０３１は、２つの部分、すなわち、タッチ検出装置およびタッチコントローラを含み得る。タッチ検出装置は、ユーザのタッチ位置を検出し、タッチ操作により得られた信号を検出してタッチコントローラに送信する。タッチコントローラは、タッチ検出装置からタッチ情報を受信し、タッチ情報をタッチポイント座標に変換してそのタッチポイント座標をプロセッサ３０８に送信し、プロセッサ３０８から送信された命令を受信して実行することができる。また、タッチパネル３０３１は、抵抗型、容量型、赤外線、表面弾性波などの複数の種類を用いて実現することができる。具体的には、別の入力デバイス３０３２は、物理キーボード、ファンクションキー（例えば、音量調節キーまたはオン／オフキー）、トラックボール、マウス、ジョイスティックなどのうちの１つまたは複数を含み得るが、これらに限定されない。
【００６１】
表示部３０４は、ユーザによって入力された情報またはユーザに提供された情報、および携帯電話の様々なメニューを表示するように構成されることができる。この実施形態では、表示部３０４は、表示装置２００と表示画面２０２とを備えている。具体的には、上記を参照されたい。詳細は本明細書では説明されない。また、タッチパネル３０３１は、表示装置２００を覆ってもよい。タッチパネル３０３１上または近傍のタッチ操作を検出した後、タッチパネル３０３１は、タッチイベントの種類を判定するためにプロセッサ３０８にタッチ操作を転送する。次に、プロセッサ３０８は、タッチイベントの種類に従って、表示装置２００上に対応する視覚出力を提供する。図３において、タッチパネル３０３１および表示パネル２００は、携帯電話の入力および入力機能を実装するために２つの独立した構成要素として使用される。しかしながら、いくつかの実施形態では、タッチパネル３０３１および表示装置２００は、携帯電話の入力および出力機能を実装するために統合されてもよい。
【００６２】
携帯電話は、光センサ、モーションセンサ、または別のセンサなどの少なくとも１つのセンサ３０５をさらに含み得る。具体的には、光センサは、周囲光センサおよび近接センサを含んでもよく、周囲光センサは、周囲光の明るさに従って表示画面２０２の輝度を調整し得、近接センサは、携帯電話が耳に移動すると、表示画面２０２および／またはバックライト消灯し得る。モーションセンサの一種として、加速度センサは、全方向（一般に３軸）の加速度を検出し、静止状態で重力の値や方向を検出することができ、携帯電話を識別する用途（例えば、画面の向き、関連するゲーム、または磁力計の姿勢の較正）、振動識別に関連する機能（例えば、歩数計または脳卒中）などを含む。ジャイロスコープ、気圧計、湿度計、温度計、または赤外線センサなどの、携帯電話上にさらに配置することができる別のセンサについては、詳細は本明細書では説明されない。
【００６３】
音声周波数回路３０６、スピーカ３０６１、およびマイクロホン３０６２は、ユーザと携帯電話との間のオーディオインタフェースを提供することができる。音声回路３０６は、受信した音声データを電気信号に変換してスピーカ３０６１に送信し、スピーカ３０６１は、電気信号を音声信号に変換して出力する。また、マイクロホン３０６２は、集音された音声信号を電気信号に変換し、音声回路３０６は、電気信号を受信して音声データに変換し、音声データを処理するためにプロセッサ３０８に出力し、プロセッサ３０８に送信するＲＦ回路３０１を用いて、
してもよい。
【００６４】
ＷｉＦｉは、近距離無線伝送技術に属する。携帯電話は、ＷｉＦｉモジュール３０７を使用することによって、ユーザが電子メールを送受信し、ウェブページを閲覧し、ストリーミングメディアにアクセスする手助けをし得る。ＷｉＦｉモジュール３０７は、ユーザに無線ブロードバンドインターネットアクセスを提供する。ＷｉＦｉモジュール３０７が図３に示されているが、ＷｉＦｉモジュール３０７は携帯電話の必須構成要素ではなく、本発明の要旨の範囲を逸脱することなく必要に応じて省略し得る。
【００６５】
プロセッサ３０８は、携帯電話の制御センターであり、様々なインタフェースおよび配線を使用して携帯電話全体のすべての部分を接続する。プロセッサ３０８は、メモリ３０２に格納されたソフトウェアプログラムおよび／またはモジュールを走らせまたは実行し、かつメモリ３０２に格納されたデータを呼び出すことによって、全体的な監視を携帯電話で行うために携帯電話のさまざまな機能およびデータ処理を実行する。任意選択的に、プロセッサ３０８は、１つまたは複数の処理ユニットを含み得る。好ましくは、プロセッサ３０８は、アプリケーションプロセッサとモデムプロセッサとを統合してもよい。アプリケーションプロセッサは、主にオペレーティングシステム、ユーザインタフェース、アプリケーションプログラムなどを処理し、モデムプロセッサは主に無線通信を処理する。前述のモデムプロセッサは、プロセッサ３０８に統合されなくてもよいことが理解されよう。
【００６６】
携帯電話は、各構成要素に電力を供給する電源３０９（バッテリなど）をさらに含む。好ましくは、電源管理システムを使用してプロセッサ３０８に論理的に接続され、電源管理システムを使用して充電、放電、および電力消費の管理などの機能を実装することができる。
【００６７】
図示していないが、携帯電話はカメラ、ブルートゥースモジュールなどをさらに含んでいてもよく、その詳細はここでは説明しない。
【００６８】
ユーザは、覗き見防止フィルムを剥がし、その後、覗き見防止フィルムを装着することなく、異なる使用シナリオに従って、表示画面の異なる視野角を自由に設定することができる。また、覗き見防止フィルムを表示画面に装着すると、各保持壁構造が表示画面の黒色画素領域と完全に重なり合うため、保持壁構造が画素発光領域と重なり合うことがなくなり、解像度および輝度は影響を受けない。
【００６９】
以上、本願の実施形態における端子３００について説明したが、本願の実施形態における覗き見防止フィルム１００の製造方法については、以下に説明する。
【００７０】
図７に示すように、端末表示方法は以下のステップを含む。
【００７１】
６０１。視野角調整指示を取得する。
【００７２】
本発明のこの実施形態において、実行体は、実施形態における端末３００であり、端末のプロセッサは、視野角調整命令を取得して実行してもよい。実行可能ないくつかの実施形態では、命令は、画面上でユーザによって実行される操作であってもよく、または受信された命令であってもよく、これは本明細書では限定されない。
【００７３】
６０２。透明充填液中の複数の不透明粒子の配分方法を制御するように視野角調整命令に従って配線層の電圧を調整し、透明充填液中の複数の不透明粒子の配分方法は、端末の表示視野角を決定する。
【００７４】
いくつかの実現可能な実施形態では、端末によって受信された命令が表示視野角を狭める場合、配線層の電源が投入され、不透明粒子によって運ばれる電荷の電気特性と同じ電気特性を有する電圧が透明充填液中の不透明粒子をドライバ層から離間するように駆動するように、配線層に印加される。このように、保持壁構造は、特定の高さを有する不透明な保持壁を形成し、保持壁の高さは、端末の表示視野角を決定する。
【００７５】
なお、配線層に電気特性が不透明粒子のものと同じ電荷が印加される場合には、保持壁構造の高さがゼロとなるように不透明粒子がドライバ層に近接し得る。端末を回転させても保持壁構造の制御を確実にされることができる。
【００７６】
端末により受信された命令が表示視野角を広角にする場合には、不透明粒子によって運ばれた電荷の電気特性と反対の電圧が配線層に印加されるか、またはいかなる電圧も印加されないので、透明充填液中の不透明粒子がドライバ層から離間するか、または不透明粒子が自動的にドライバ層の表面上に落ちる。このようにして、保持壁構造の不透明な保持壁の高さが減少されるかまたはゼロになり、それによって表示視野角が決定される。
【００７７】
図８に示すように、いくつかの他の実現可能な実施形態では、端末がドライバ層で電源投入されると、電源投入のための電圧の電気特性が非透明粒子の電気特性と同じである場合、同様の電荷は相互に反発するという原理によりドライバ層から離間しており、不透明粒子は、保持壁構造中の小さな部分に集中的に配分され、画素をブロックする役割を果たし、視野角が狭くなる。この場合、ドライバ層によって駆動され、不透明粒子は、ある程度の覗き見防止の役割を果たすことができる。
【００７８】
具体的には、電圧と不透明粒子が同じ電気特性を有し、電圧が比較的大きい場合、画素を見ることができる最小視野角はθ３であってもよく、電圧と非透明粒子が同じ電気特性を有し、電圧が比較的小さい場合、画素を見ることができる最小視野角はθ１であってもよい。いくつかの実現可能な実施形態では、θ１は１８０度であってもよく、すなわち、覗き見防止効果はなく、これは本明細書では限定されない。印加された電圧の一部が不透明粒子と同じ電気特性を有し、印加された電圧の他の部分が逆の電気特性を有する場合、異なる電気特性を有する電圧の大きさを制御し得、θ１≧θ２≧θ３である。
【００７９】
しかし、図８に示す角度θ２’と角度θ３’は、実際には覗き見防止効果がない。より良い覗き見防止効果を達成するために、不透明粒子は異なる量の電気を運び得る。このようにして、ドライバ層に電圧が加えられると、不透明粒子は、保持壁構造内に均一に配分されることができる。図９に示すように、ドライバ層で電源を投入すると、大きな角度からの光を遮るために、視野角を狭くするように不透明粒子が保持壁構造内に均一に配分されてもよく、不透明保持壁を保持壁構造に形成してもよい。端末の電源が投入されていない場合や、電源投入時の電圧の電気特性が不透明粒子の電気特性と逆の場合、透明な保持壁は従来の光の方向を変えず、小さなライブボールの高さを制御することによって視野角を制御し得る。
【００８０】
ユーザは、覗き見防止フィルムを剥がし、その後覗き見防止フィルムを装着することなく、異なる使用シナリオに従って、表示画面の異なる視野角を自由に設定することができる。また、覗き見防止フィルムを表示画面に装着すると、各保持壁構造が表示画面の黒色画素領域と完全に重なり合うため、保持壁構造が画素発光領域と重なり合うことがなくなり、解像度および輝度は影響を受けない。
【００８１】
当業者であれば、簡潔かつ簡単な説明のために、上記のシステム、装置、およびユニットの詳細な作業プロセスについて、前述の方法の実施形態における対応するプロセスを参照し得ることは明らかであり 詳細な説明は本明細書では再度記載しない。
【００８２】
本願で提供されるいくつかの実施形態において、開示されたシステム、装置、および方法は、他の方法で実施され得ることを理解されたい。例えば、説明された装置の実施形態は単なる一例に過ぎない。例えば、ユニット分割は単に論理的な機能分割であり、実際の実装では他の分割であってもよい。例えば、複数のユニットまたは構成要素を組み合わせても、別のシステムに統合してもよいし、一部の機能を無視しても、または実行しなくてもよい。さらに、表示された、または議論された相互結合または直接結合または通信接続は、いくつかのインタフェースを使用することによって実装されてもよい。装置またはユニット間の間接結合または通信接続は、電子的、機械的または他の形態で実施されてもよい。
【００８３】
別個の部品として記載されたユニットは物理的に分離していてもいなくてもよく、ユニットとして表示されている部品は物理ユニットであってもなくてもよく、１箇所に配置されてもよいし、複数のネットワークユニットに分散されてもよい。ユニットの一部または全部は、実施形態の解決策の目的を達成するための実際の要件に従って選択されてもよい。
【００８４】
また、本発明の実施形態における機能部は、１つの処理部に統合されてもよいし、ユニットのそれぞれは、物理的に単独で存在してもよいし、２つ以上のユニットが１つのユニットに一体化されてもよい。統合されたユニットは、ハードウェアの形態で実装されてもよく、ソフトウェア機能ユニットの形態で実装されてもよい。
【００８５】
統合されたユニットがソフトウェア機能ユニットの形態で実装され、独立した製品として販売もしくは使用される場合、統合されたユニットはコンピュータ可読記憶媒体に格納されてもよい。そのような理解に基づいて、本質的に本発明の技術的解決策、または先行技術に寄与する部分、または技術的解決策のすべてまたはいくつかは、ソフトウェア製品の形態で実施されてもよい。ソフトウェア製品は、記憶媒体に記憶されており、コンピュータデバイス（パーソナルコンピュータ、サーバ、またはネットワークデバイスとなり得る）に、本発明の実施形態に記載の方法のステップのすべてまたは一部を実行するよう指示するためのいくつかの命令を含む。上記の記憶媒体は、ＵＳＢフラッシュドライブ、リムーバブルハードディスク、リードオンリーメモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスク、または光ディスクなどを含む。
【００８６】
上述の実施形態は、本発明の技術的解決策を説明するためのものに過ぎず、本発明を限定するものではない。本発明は、上述の実施形態を参照して詳細に説明されているが、当業者であれば、上述の実施形態に記載された技術的解決策をさらに変更してもよく、またはその技術的特徴の一部を、本発明の実施形態の技術的解決策の精神と範囲から逸脱することなく等価な物に交換し得ることを理解されたい。
【図１】
2019514044.tif 000003
【図２】
2019514044.tif 000004
【図３】
2019514044.tif 000005
【図４】
2019514044.tif 000006
【図５】
2019514044.tif 000007
【図６】
2019514044.tif 000008
【図７】
2019514044.tif 000009
【図８】
2019514044.tif 000010
【図９】
2019514044.tif 000011
【手続補正書】
【提出日】平成30年9月20日(2018.9.20)
【手続補正１】
【補正対象書類名】明細書
【補正対象項目名】全文
【補正方法】変更
【補正の内容】
【発明の詳細な説明】
【技術分野】
【０００１】
本発明は、光学保護膜技術の分野に関し、特に、覗き見防止フィルム、表示装置、端末、および覗き見防止フィルムの製造方法に関する。
【背景技術】
【０００２】
携帯電話やタブレットコンピュータなどの現在の端末装置は、一般に、視野角の広い表示画面を使用する。大きな視野角は、読書または閲覧のための非常に優れた表示効果を提供し得る。しかし、ユーザが画面の表示効果を享受している間に、周囲の人々もまた、表示画面に表示された内容をはっきりと見得る。これがプライバシーの潜在的リスクを非常に高める。
【０００３】
現在、市場では、携帯電話やタブレットなどの端末装置の表示画面の視野角を狭くする解決策は、端末装置に覗き見防止フィルムを装着すること、例えば、ノートパソコンに覗き見防止フィルムを装着することである。覗き見防止フィルムは、表示画面の視野角を狭くするために、ほとんどのＡＴＭ機械の画面の表面にも装着されており、オペレータの視野角においてのみ表示された内容をはっきりと見ることができ、それによりプライバシーを保護する。覗き見防止フィルムの原理は分極効果であり、視野角を狭めることはできるが、視野角は１つの範囲しか持たない。また、覗き見防止フィルムを表示画面の表面に装着すると、覗き見防止フィルムが剥がされない限り、この範囲しか使用することができず、これは、コストを浪費し、操作の困難性を増大する。
【発明の概要】
【０００４】
本発明の実施形態は、ユーザがディスプレイの異なる視野角を自由に設定できるように、覗き見防止フィルム、表示装置、端末、および覗き見防止フィルムの製造方法、および端末表示方法を提供し、それによりユーザは異なる使用シナリオに従って表示画面の異なる視野角を自由に設定できる。
【０００５】
この点を考慮して、本願の第１の態様は覗き見防止フィルムを提供し、覗き見防止フィルムは、
ドライバ層および保持壁構造を含み、ドライバ層には複数の保持壁構造が設けられ、保持壁構造は透明キャビティであり、透明キャビティには透明充填液および不透明粒子が充填され、不透明粒子は電荷を運ぶ。
【０００６】
覗き見防止フィルムを用いる場合、保持壁構造は画素の横にある。保持壁構造は透明の場合があり、ある角度からの画素視認を阻止し、かつ覗き見防止フィルムの覗き見防止機能を実装するために、要求に応じて保持壁構造内の不透明粒子の配分方法を変更する。保持壁構造は、保持壁構造内の不透明粒子の異なる配分方法に従って、覗き見防止フィルムの視野角を決定してもよいことに留意されたい。不透明粒子は、透明充填液中を自由に移動し得るため、電圧によって不透明粒子に外力が加えられる場合、不透明粒子の配分方法は要求に応じて決定され得る。
【０００７】
本願の第１の態様を参照し、本願の第１の態様の第１の実装において、ドライバ層は、
透明キャリアと配線層とを含み、配線層は透明キャリア内に配置され、電圧が配線層に印加されると、保持壁構造内の不透明粒子の配分状態が変化する
【０００８】
透明キャリアは、主に、配線層を担持するように構成されている。電源が投入されると、配線層は、電磁誘導に応じて保持壁構造内の不透明な活性粒子の配分状態に影響を及ぼすことがあり、それによって覗き見防止フィルムの視野角を変化させる。いくつかの実現可能な実施形態において、配線層に配分される配線は、保持壁構造と１対１に対応していてもよいし、保持壁構造と重なり合ってもよく、これは本明細書では限定されない。
【０００９】
覗き見防止フィルムを使用する端末は、ドライバ層でアクセスされるラインの電圧を制御することによって、覗き見防止フィルムの保持壁構造の透明度を制御し得る。したがって、ユーザは、覗き見防止フィルムを剥がして、その後覗き見防止フィルムを装着することなく、異なる使用シナリオに従って、表示画面の異なる視野角を自由に設定することができる。また、覗き見防止フィルムを表示画面に装着すると、各保持壁構造が表示画面の黒画素領域と完全に重なり合うため、保持壁構造が画素発光領域と重なり合うことがなくなり、解像度と輝度は影響を受けない。
【００１０】
本願の第２の態様は表示装置を提供し、表示装置は、
表示画面および本願の第１の態様または第１の態様の第１の実装で提供される覗き見防止フィルムを含む。
【００１１】
覗き見防止フィルムは表示画面に装着され、覗き見防止フィルムの任意の保持壁構造に対して、保持壁構造と完全に重なり合う表示画面には常に黒画素領域がある。覗き見防止フィルムを使用する端末は、ドライバ層でアクセスされた配線の電圧を制御することにより覗き見防止フィルム内の保持壁構造の透明度を制御し得る。覗き見防止フィルムが表示画面に装着され、覗き見防止フィルムの保持壁構造と表示画面の黒画素領域が対応して完全に重ね合わされる。
【００１２】
覗き見防止フィルムと表示画面との間には、覗き見防止フィルムと表示画面とを接着するように透明接着層がある。覗き見防止フィルムおよび表示画面は、透明接着層とも呼ばれる光学透明接着剤を用いて接着し得る。光学透明接着剤は、本明細書では、光学透明接着剤（ｏｐｔｉｃａａｌ  ｃｌｅａｒ  ａｄｈｅｓｉｖｅ、略してＯＣＡ）であってもよいし、光学透明樹脂（Ｏｐｔｉｃａｌ  Ｃｌｅａｒ  Ｒｅｓｉｎ、略してＯＣＲ）であってもよい。
【００１３】
覗き見防止フィルムを使用する端末は、ドライバ層でアクセスされるラインの電圧を制御することによって、覗き見防止フィルムの保持壁構造の透明度を制御し得る。したがって、ユーザは、覗き見防止フィルムを剥がして、その後覗き見防止フィルムを装着することなく、異なる使用シナリオに従って、表示画面の異なる視野角を自由に設定することができる。また、覗き見防止フィルムを表示画面に装着すると、各保持壁構造が表示画面の黒画素領域と完全に重なり合うため、保持壁構造が画素発光領域と重なり合うことがなくなり、解像度と輝度は影響を受けない。
【００１４】
ユーザは、覗き見防止フィルムを剥がして、その後覗き見防止フィルムを装着することなく、異なる使用シナリオに従って、表示画面の異なる視野角を自由に設定することができる。覗き見防止フィルムを表示画面に装着すると、各保持壁構造が表示画面の黒画素領域と完全に重なり合うため、保持壁構造が画素発光領域と重なり合うことが防止され、解像度と輝度は影響を受けない。
【００１５】
本願の第３の態様は端末を提供し、端末は、
プロセッサ、バス、および本願の第２の態様による表示装置を含み、プロセッサは、バスを用いて表示装置に接続され、プロセッサは、視角調整命令を得るように構成され、プロセッサはさらに、視角調整命令に応じて配線層での電圧を調整するように構成され、それにより透明充填液中の複数の不透明粒子の配分方法を制御し、透明充填液中の透明粒子の配分方法は、端末の表示視角を決定する。
【００１６】
覗き見防止フィルムを使用する端末は、ドライバ層でアクセスされるラインの電圧を制御することによって、覗き見防止フィルムの保持壁構造の透明度を制御し得る。したがって、ユーザは、覗き見防止フィルムを剥がして、その後覗き見防止フィルムを装着することなく、異なる使用シナリオに従って、表示画面の異なる視野角を自由に設定することができる。また、覗き見防止フィルムを表示画面に装着すると、各保持壁構造が表示画面の黒画素領域と完全に重なり合うため、保持壁構造が画素発光領域と重なり合うことがなくなり、解像度と輝度は影響を受けない。
【００１７】
本願の第４の態様は端末表示方法を提供し、端末表示方法は、
視角調整命令を得るステップと、透明充填液中の複数の不透明粒子の配分方法を制御するように視角調整命令に応じて配線層での電圧を調整するステップであり、透明充填液中の透明粒子の配分方法は、端末の表示視角を決定する、ステップとを含む。
【００１８】
いくつかの実現可能な実施形態において、端末によって受信された命令が表示視野角を狭める場合、透明充填液体中の不透明粒子をドライバ層から離間させるために、不透明粒子によって運ばれる電荷の電気特性と同じ電気特性の電圧が配線層に印加される。このように、保持壁構造は特定の高さを有する不透明な保持壁を形成し、保持壁の高さは端末の表示視野角を決定する。
【００１９】
上記の技術的解決策から、本発明の実施形態は以下の利点を有することが分かり得る。
【００２０】
覗き見防止フィルムを使用する端末は、ドライバ層でアクセスされるラインの電圧を制御することによって、覗き見防止フィルムの保持壁構造の透明度を制御し得る。したがって、ユーザは、覗き見防止フィルムを剥がして、その後覗き見防止フィルムを装着することなく、異なる使用シナリオに従って、表示画面の異なる視野角を自由に設定することができる。また、覗き見防止フィルムを表示画面に装着すると、各保持壁構造が表示画面の黒画素領域と完全に重なり合うため、保持壁構造が画素発光領域と重なり合うことがなくなり、解像度と輝度は影響を受けない。
【図面の簡単な説明】
【００２１】
【図１】図１は、本願の実施形態による覗き見防止フィルムの実施形態の概略図である。
【図２】図２は、本願の実施形態による表示装置の実施形態の概略図である。
【図３】図３は、本願の実施形態による表示装置の概略上面図である。
【図４】図４は、本願の実施形態による端末の実施形態の概略図である。
【図５】図５は、本願の実施形態による覗き見防止フィルムの製造技術の概略図である。
【図６】図６は、本願の実施形態による表示装置の製造技術の概略図である。
【図７】図７は、本願の実施形態による端末表示方法の実施形態の概略図である。
【図８】図８は、本願の実施形態による視野角制御原理の概略図である。
【図９】図９は、本願の実施形態による視野角制御原理の別の概略図である。
【発明を実施するための形態】
【００２２】
本発明の実施形態は、ユーザが異なる使用シナリオに従って表示画面の異なる視野角を自由に設定できるように、覗き見防止フィルム、覗き見防止フィルム製造方法、および端末表示方法を提供する。
【００２３】
当業者が本発明の実施形態の技術的解決策をよりよく理解するために、以下、本発明の実施形態における技術的解決策を本発明の実施形態における添付図面を参照して明確かつ十分に説明する。明らかに、説明される実施形態は、単に本発明の実施形態のいくつかではあるがすべてではない。創造的な努力をせずに本発明の実施形態に基づいて当業者によって得られる他のすべての実施形態は、本発明の保護範囲に包含されるべきものである。
【００２４】
本発明の明細書、特許請求の範囲および添付図面において、「第１の」、「第２の」、「第３の」、「第４の」などの用語は（もしあれば）、類似のオブジェクト間で区別することを意図しているが、必ずしも特定の順番または順序を示すとは限らない。そのように称されるデータは、本明細書に記載された本発明の実施形態が、本明細書に図示または記載された順序とは異なる順序で実施されることができるように、適切な状況において代替可能であることを理解されたい。さらに、「備える」、「含む」という用語および任意の他の変形例は、非排他的な包含物を含むことを意味し、例えば、ステップまたはユニットのリストを含むプロセス、方法、システム、製品、またはデバイスは、これらのユニットに必ずしも限定されるものではなく、明示的に列挙されていない、あるいはそのようなプロセス、方法、システム、製品、またはデバイスに固有の他のユニットを含み得る。
【００２５】
図１に示すように、本願の実施形態は覗き見防止フィルム１００を提供し、覗き見防止フィルム１００は、
ドライバ層１０１および保持壁構造１０２を含み、ドライバ層１０１には複数の保持壁構造１０２設けられる。
【００２６】
本発明のこの実施形態において、覗き見防止フィルム１００が使用される場合、すなわち、覗き見防止フィルムが表示画面に装着され、電圧が配分方法ドライバ層１０１に印加される場合、表示画面の視野角は、覗き見防止フィルム１００を使用することによって変更されることができる。印加された電圧の大きさおよび電気特性の両方は覗き見防止フィルム１００による表示画面の視野角の変化に影響を及ぼすことに留意されたい。
【００２７】
保持壁構造１０２は透明キャビティであり、透明キャビティには透明充填液１０２１および不透明粒子１０２２が充填され、不透明粒子１０２２は電荷を運ぶ。
【００２８】
本発明のこの実施形態において、透明充填液１０２１は透明な非腐食性溶液であってもよく、これは本明細書では限定されない。本発明のこの実施形態において、不透明粒子は、純黒の粒子であってもよく、白色粒子であってもよく、または混色の粒子であってもよく、粒子が不透明な活性粒子であれば別の材料のものであってもよく、これは本明細書では限定されない。また、不透明粒子１０２２の形状は球体であってもよく、立方体であってもよく、不透明粒子１０２２が十分に小さく、透明充填液１０２１中で流動するのであれば、これは本明細書では限定されない。不透明粒子１０２２の材料は活性金属であってもよく、または電荷を運ぶことができる別の材料であってもよく、これは本明細書では限定されない。不透明粒子１０２２を活性状態にできることは常識であることに留意し、詳細は本明細書では説明されない。
【００２９】
本発明のこの実施形態において、保持壁構造１０２が覗き見防止フィルム１００による表示画面の視野角の変化を決定する。いくつかの実現可能な実施形態において、覗き見防止フィルム１００が表示画面に装着されると、保持壁構造１０２は、表示画面の画素の横にある。一般に、保持壁構造１０２はドライバ層１０１に垂直に配置される。もちろん、保持壁構造１０２はまた、ドライバ層１０１に傾斜して配置されてもよい。保持壁構造１０２には透明充填液１０２１および不透明粒子１０２２が充填され、不透明粒子１０２２の配分方法は、ドライバ層１０１の駆動によって変更されてもよい。
【００３０】
具体的には、ドライバ層１０１に電圧が印加されていない場合には、ドライバ層１０１に近接する保持壁構造１０２の底部に不透明粒子１０２２が残り、ドライバ層１０１に電圧が印加されると、不透明粒子１０２２の配分状態が変化し、例えば、表示画面のある角度から視界を遮るために、不透明粒子１０２２が、保持壁構造１０２の中間部または上部に移動するように駆動されるか、または保持壁構造１０２内に均等に配分され、それにより覗き見防止効果を実現する。
【００３１】
本発明のこの実施形態において、複数の保持壁構造１０２がドライバ層１０１の一方の側に配置され、保持壁構造１０２内の不透明粒子１０２２の配分方法の変化がドライバ層１０１によって駆動されてもよい。具体的には、電圧がドライバ層１０１に印加されると、保持壁構造１０２内の不透明粒子１０２２の配分方法が直接的に影響を受けて、覗き見防止フィルム１００の視野角を決定する。不透明粒子１０２２は、ドライバ層１０１に印加される電圧の大きさに応じて柔軟に制御されることができる。したがって、覗き見防止フィルム１００の視野角も柔軟に制御されることができる。一般に、複数の保持壁構造１０２が必要とされ、好ましくは、適用される場合は、保持壁構造は表示画面の非画素領域、すなわち、黒色画素領域に正確に配分されるため、保持壁構造は、広角モードではいかなる画素も遮らず、角度は、狭角モードでは十分に制御される。他の実現可能な実施形態では、必要に応じて、保持壁構造１０２は、縦方向の黒色画素領域のストリップのみに配置されてもよいし、または保持壁構造１０２は、横方向の黒色画素領域のストリップのみに配置されてもよく、または保持壁構造１０２は、別の要件に応じて配置されてもよく、これは本明細書では限定されない。
【００３２】
ドライバ層１０１は、透明キャリア１０１１および配線層１０１２を含む。配線層１０１２は、透明キャリア１０１１内に配置され、保持壁構造１０２中の不透明粒子１０２２の配分状態は、電圧が配線層１０１２に印加されると変化する。
【００３３】
本発明のこの実施形態において、ドライバ層１０１は、透明キャリア１０１１および配線層１０１２を含む。透明キャリア１０１１の材料は、ポリエチレンテレフタレート（Ｐｏｌｙｅｔｈｙｌｅｎｅ  ｔｅｒｅｐｈｔｈａｌａｔｅ、略してＰＥＴ）であってもよいし、またはガラスであってもよく、材料が非導電性で透明であれば、本明細書では限定されない。配線層１０１２は、導電体であり、金属または別の非金属導電体材料から形成されてもよく、これは本明細書では限定されない。
【００３４】
配線層１０１２は、透明キャリア１０１１内に配置され、電圧が配線層１０１２に印加されると、保持壁構造１０２内の不透明粒子１０２２の配分状態が変化する。
【００３５】
本発明のこの実施形態において、透明キャリア１０１１は、主に配線層１０１２を担持するように構成されている。電源が投入されると、配線層１０１２は、電磁誘導に応じて保持壁構造１０２内の不透明な活性粒子１０２２の配分状態に影響を及ぼすことがあり、それによって覗き見防止フィルム１００の視野角を変化させる。いくつかの実現可能な実施形態において、配線層１０１２に配分される配線は、保持壁構造１０２と１対１に対応していてもよいし、保持壁構造１０２と重なり合ってもよく、これは本明細書では限定されない。しかしながら、配線層１０１２に配分する線が保持壁構造１０２に影響を及ぼすことができない場合、配線は無用であるため、一般に、配線は画素領域には配置されず、保持壁構造が画素領域に配置される場合、本発明では、保持壁構造もまた無用であるため、一般に、保持壁構造１０２は画素領域には配置されない。
【００３６】
保持壁構造１０２は透明キャビティであり、透明キャビティには透明充填液１０２１および複数の不透明粒子１０２２が充填され、不透明粒子１０２２のすべては電荷を運ぶ。
【００３７】
本発明のこの実施形態において、外力が電圧によって不透明粒子１０２２にかけられると、不透明粒子１０２２の配分方法が要件に応じて決定され得るように、不透明粒子１０２２は、透明充填液１０２１中を自由に移動し得る。
【００３８】
不透明粒子１０２２の機能は、覗き見防止フィルム１００が正当な役割を果たすことができるように、不透明粒子１０２２に隣接する画素について、他の方向からの視野を遮ることであることに留意されたい。したがって、他の条件が一定である場合、不透明粒子１０２２のより高い不透明性は、より良好な覗き見防止機能を示す。
【００３９】
図５に示すように、いくつかの実現可能な実施形態において、覗き見防止フィルム１００の製造技術は、光学透明接着剤を使用して透明ベースフィルムの層を作成し、透明ベースフィルムの一方の面に複数の溝を配置し、すべての溝に透明充填液１０２１を充填し、複数の不透明粒子１０２２を透明充填液１０２１中に配置し、不透明粒子１０２２が電荷を運び、透明な固体材料を用いて透明キャリアの層を作成し、透明キャリア内に配線層を配置し、透明ベースフィルムの溝が設けられた側に透明キャリアを装着することである。
【００４０】
いくつかの実現可能な実施形態において、透明ベースフィルムの素材として光学透明接着剤ＯＣＡを用い、透明ベースフィルムの片面に保持壁構造１０２の溝を設け、光学透明樹脂ＯＣＲとしてもよい。透明充填液１０２１が溝内に充填されているので、透明充填液中の対象物が自由に動くことができ、覗き見防止フィルム１００を作用させることができる。実現可能ないくつかの実施形態では、溝は直方体であってもよく、または円筒であってもよく、上面図の観点から、溝はトレンチであってもよく、または使用中に溝が黒色画素領域にあることを前提にする別の形状であってもよい。これは本明細書では限定されない。他の条件が一定である場合、保持壁構造１０２が配置されている黒色画素領域がより多いことは、より良好な覗き見防止効果を示すことに留意されたい。本発明のこの実施形態では、透明ベースフィルムが接着剤の役割を果たすとともに、透明ベースフィルムがキャビティとして用いられ、透明充填液１０２１および不透明粒子１０２２を収容する役割を果たす。透明ベースフィルムは、上記の役割を果たすことができれば、他の材料であってもよく、本明細書では限定されない。
【００４１】
透明充填液１０２１中に複数の不透明粒子１０２２が配置され、不透明粒子１０２２は電荷を運ぶ、すなわち正の電荷を運んでも負の電荷を運んでもよいが、これに限定されるものではない。溝に充填液１０２１が充填され、充填液１０２１に不透明な活性粒子１０２２が配置されている場合、本発明のこの実施形態では、溝は保持壁構造１０２である。実現可能ないくつかの実施形態では、透明固体材料は、ポリエチレンテレフタレートＰＥＴであってもよく、または材料が透明で断熱されていればガラスであってもよく、これは本明細書では限定されない。
【００４２】
本発明のこの実施形態において、配線層１０１２は導体であり、金属または他の非金属導体材料から形成されてもよく、これは本明細書では限定されない。電圧がライン配線層１０１２に印加されると、不透明粒子１０２２は、対応して電圧に応じて反応する。すなわち、印加された電圧の電気特性が不透明粒子１０２２によって運ばれる電荷の電気特性と同じである場合、不透明粒子１０２２はドライバ層１０１から離間するように駆動され、反対に、不透明粒子１０２２は、ドライバ層１０１に近づくように吸着される。
【００４３】
保持壁構造１０２内の不透明粒子１０２２の位置を制御するようにドライバ層１０１の配線層１０１２に交流電流を印加し得ることに留意されたい。他の実現可能な実施形態では、配線層は２つの層に分割されてもよい。一方の層には、不透明粒子１０２２と同じ電気特性を有する電荷が印加され、他方の層には、不透明粒子１０２２とは逆の電気特性を有する電荷が印加され、保持壁構造１０２内の不透明粒子１０２２の位置を制御する。これは本明細書に限定されない。
【００４４】
いくつかの実現可能な実施形態において、電気特性が不透明粒子１０２２に担持された電荷と同じ電荷が配線層に印加されると、不透明粒子１０２２はドライバ層から離間しており、不透明粒子１０２２が 不透明粒子１０２２が所要位置にあるように、不透明粒子１０２２に担持された電荷の電気特性とは反対の電荷を印加し得る。
【００４５】
透明ベースフィルムの一方の面には溝が設けられず、他方の面には溝が設けられ、溝には充填液１０２１が存在する。この場合、他方の面を密封する必要があり、この面が密封されていない場合には溝内の液体が漏れることがある。本発明のこの実施形態では、ドライバ層１０１は、溝を密封するように、溝を有する側に取り付けられてもよい。
【００４６】
ユーザは、覗き見防止フィルム１００を剥がし、その後に覗き見防止フィルム１００を装着することなく、異なる使用シナリオに応じて、表示画面の異なる視野角を自由に設定することができる。また、覗き見防止フィルム１００が表示画面に装着される場合、各保持壁構造１０２は、保持壁構造１０２が画素発光領域と重なり合うことが防止されるように黒色画素領域と完全に重なり合い、解像度および輝度は影響を受けない。
【００４７】
以上、本願の実施形態における覗き見防止フィルム１００について説明したが、覗き見防止フィルム１００を備えた本願の実施形態の表示装置２００について以下に説明する。
【００４８】
図２に示すように、本願のこの実施形態は表示装置２００を提供し、表示装置２００は、
覗き見防止フィルム１００と、表示画面２０１とを含み、覗き見防止フィルムは表示画面２０１に装着され、覗き見防止フィルム１００保持壁構造１０２は、１対１の対応関係で表示画面２０１の黒色画素領域と完全に重なり合う。
【００４９】
本発明のこの実施形態では、表示画面２０１は、液晶ディスプレイ（Ｌｉｑｕｉｄ  Ｃｒｙｓｔａｌ  Ｄｉｓｐｌａｙ、ＬＣＤ）、有機発光ダイオード（Ｏｒｇａｎｉｃ  Ｌｉｇｈｔ−Ｅｍｉｔｔｉｎｇ  Ｄｉｏｄｅ、ＯＬＥＤなどの形態で構成し得る。これは本明細書では限定されない。表示画面２０１には画素が配分されており、画素を持たない画素間の場所を黒色画素領域という。本発明のこの実施形態では、覗き見防止フィルム１００の保持壁構造１０２は、黒色画素領域と完全に重なり合ってもよい。好ましくは、図３に示すように、覗き見防止フィルム１００の保持壁構造１０２は、１対１の対応関係で黒色画素領域と完全に重なり合っていてもよい、すなわち、任意の黒色画素領域について、黒色画素領域と完全に重なり合う保持壁構造１０２が存在し、その逆もまたしかりである。
【００５０】
いくつかの実現可能な実施形態において、いくつかの実現可能な実施形態では、覗き見防止フィルム１００は、透明接着層とも呼ばれる光学透明接着剤を使用することによって表示画面２０１に接着し得る。本明細書では、光学透明接着剤は、光学透明接着剤（英語：ｏｐｔｉｃａｌ  ｃｌｅａｒ  ａｄｈｅｓｉｖｅ、略してＯＣＡ）であってもよいし、光学透明樹脂（英語：Ｏｐｔｉｃａｌ  Ｃｌｅａｒ  Ｒｅｓｉｎ、略してＯＣＲ）であってもよく、これは本明細書では限定されない。
【００５１】
図６に示すように、いくつかの実現可能な実施形態では、表示装置の製造技術は以下の通り、すなわち、表示画面２０１を透明接着層でコーティングし、覗き見防止フィルム１００の側面であり、ドライバ層が配置された側を透明接着層に取り付け、覗き見防止フィルム１００の保持壁構造１０２が、１対１の対応関係で表示画面２０１の黒色画素領域と完全に重なり合う。
【００５２】
本発明のこの実施形態では、本明細書中の光学透明接着剤は、表示画面２０１と覗き見防止フィルム１００とを接着する役割を果たす。いくつかの実現可能な実施形態では、光学透明接着剤は流動液体であり、したがって、光学透明接着剤は、表示画面が押圧または揺動される際に、クッションの役目を果たし得る。
【００５３】
ユーザは、覗き見防止フィルム１００を剥がし、その後に覗き見防止フィルム１００を装着することなく、異なる使用シナリオに従って、表示画面２０１の異なる視野角を自由に設定することができる。また、覗き見防止フィルム１００を表示画面２０１に装着すると、各保持壁構造１０２が表示画面２０１の黒色画素領域と完全に重なるため、保持壁構造１０２が画素発光領域と重なることが防止され、解像度および輝度は影響を受けない。
【００５４】
以上、本願の実施形態における表示装置２００について説明したが、本願の実施形態であり、表示装置２００を含む端末について以下に説明する。
【００５５】
図４を参照すると、本発明の実施形態はさらに、端末３００を提供する。説明を容易にするために、本発明の実施形態に関連する部分のみが示されている。開示されていない特定の技術的詳細については、本発明の実施形態の方法部分を参照されたい。端末は、携帯電話、タブレットコンピュータ、ＰＤＡ（Ｐｅｒｓｏｎａｌ  Ｄｉｇｉｔａｌ  Ａｓｓｉｓｔａｎｔ、携帯情報端末）、ＰＯＳ（Ｐｏｉｎｔ  ｏｆ  Ｓａｌｅｓ、販売時点情報管理システム）、車載コンピュータなどを含む任意の端末装置であり得る。例えば、端末は携帯電話である。
【００５６】
図３は、本発明の実施形態において提供される端末に関する携帯電話の部分的な構成のブロック図を示す。図３を参照して、携帯電話は、高周波（Ｒａｄｉｏ  Ｆｒｅｑｕｅｎｃｙ、ＲＦ）回路３０１、メモリ３０２、入力部３０３、表示部３０４、センサ３０５、音声周波数回路３０６、ワイヤレスフィディリティー（Ｗｉｒｅｌｅｓｓ  Ｆｉｄｅｌｉｔｙ、ＷｉＦｉ）モジュール３０７、プロセッサ３０８、および電源３０９を含む。当業者であれば、図３に示す携帯電話の構造は、携帯電話に限定されるものではなく、図に示す構成要素よりも多くの、または少ない構成要素を含んでもいてもよく、一部の構成要素を組み合わせたり、または異なる構成要素の構造を有していてもよい。
【００５７】
図３を参照して、携帯電話のすべての構成要素が以下に詳細に説明される。
【００５８】
ＲＦ回路３０１は、情報を送受信し、または呼の間に信号を送受信するように構成されてもよい。特に、ＲＦ回路３０１は、基地局のダウンリンク情報を受信し、処理するためにダウンリンク情報をプロセッサ３０８に送信し、基地局にアップリンクデータを送信する。一般に、ＲＦ回路３０１は、アンテナ、少なくとも１つの増幅器、トランシーバ、カプラ、低雑音増幅器（Ｌｏｗ  Ｎｏｉｓｅ  Ａｍｐｌｉｆｉｅｒ、ＬＮＡ）、およびデュプレクサを含むが、これらに限定されない。さらに、ＲＦ回路３０１は、無線通信によってネットワークまたは他の装置とさらに通信することができる。前述の無線通信は、汎欧州デジタル移動電話方式（Ｇｌｏｂａｌ  Ｓｙｓｔｅｍ  ｏｆ  Ｍｏｂｉｌｅ  Ｃｏｍｍｕｎｉｃａｔｉｏｎ、ＧＳＭ）、汎用パケット無線サービス（Ｇｅｎｅｒａｌ  Ｐａｃｋｅｔ  Ｒａｄｉｏ  Ｓｅｒｖｉｃｅ、ＧＰＲＳ）、符号分割多重アクセス（Ｃｏｄｅ  Ｄｉｖｉｓｉｏｎ  Ｍｕｌｔｉｐｌｅ  Ａｃｃｅｓｓ、ＣＤＭＡ）、広帯域符号分割多重アクセス（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ）、ロングタームエボリューション（Ｌｏｎｇ  Ｔｅｒｍ  Ｅｖｏｌｕｔｉｏｎ、ＬＴＥ）、電子メール、およびショートメッセージングサービス（Ｓｈｏｒｔ  Ｍｅｓｓａｇｉｎｇ  Ｓｅｒｖｉｃｅ、ＳＭＳ）を含むが、これらに限定されない任意の通信規格またはプロトコルを使用し得る。
【００５９】
メモリ３０２は、ソフトウェアプログラムおよびモジュールを格納するように構成し得る。プロセッサ３０８は、メモリ３０２に記憶されたソフトウェアプログラムおよびモジュールを実行することによって、携帯電話の様々な機能アプリケーションおよびデータ処理を実行する。メモリ３０２は、主に、プログラム記憶領域およびデータ記憶領域を含み得る。プログラム記憶領域は、オペレーティングシステム、少なくとも１つの機能（音声再生機能および画像再生機能など）によって要求されるアプリケーションプログラムなどを格納してもよく、データ記憶領域は、携帯電話の使用に応じて作成されたデータ（音声データおよび電話帳など）などを格納してもよい。なお、ストレージ３０２は、高速ランダムアクセスメモリを含んでもよく、少なくとも１つの磁気ディスクストレージコンポーネント、フラッシュメモリコンポーネント、または別の揮発性固体ストレージコンポーネントなどの不揮発性メモリをさらに含んでもよい。
【００６０】
入力部３０３は、入力されたデジタルまたは文字情報を受信し、携帯電話のユーザ設定および機能制御に関連するキー信号入力を生成するように構成されてもよい。具体的には、入力部３０３は、タッチパネル３０３１と、別の入力デバイス３０３２とを備えていてもよい。タッチ画面とも呼ばれるタッチパネル３０３１は、ユーザによりタッチパネル３０３１上またはその近傍で行われるタッチ操作（例えば、指またはスタイラスなどの任意の適切なオブジェクトまたはアクセサリを用いてユーザによりタッチパネル３０３１上またはその近傍で行われる操作）を収集してもよく、予め設定されたプログラムに従って対応する接続装置を駆動し得る。任意選択的に、タッチパネル３０３１は、２つの部分、すなわち、タッチ検出装置およびタッチコントローラを含み得る。タッチ検出装置は、ユーザのタッチ位置を検出し、タッチ操作により得られた信号を検出してタッチコントローラに送信する。タッチコントローラは、タッチ検出装置からタッチ情報を受信し、タッチ情報をタッチポイント座標に変換してそのタッチポイント座標をプロセッサ３０８に送信し、プロセッサ３０８から送信された命令を受信して実行することができる。また、タッチパネル３０３１は、抵抗型、容量型、赤外線、表面弾性波などの複数の種類を用いて実現することができる。具体的には、別の入力デバイス３０３２は、物理キーボード、ファンクションキー（例えば、音量調節キーまたはオン／オフキー）、トラックボール、マウス、ジョイスティックなどのうちの１つまたは複数を含み得るが、これらに限定されない。
【００６１】
表示部３０４は、ユーザによって入力された情報またはユーザに提供された情報、および携帯電話の様々なメニューを表示するように構成されることができる。この実施形態では、表示部３０４は、表示装置２００と表示画面２０２とを備えている。具体的には、上記を参照されたい。詳細は本明細書では説明されない。また、タッチパネル３０３１は、表示装置２００を覆ってもよい。タッチパネル３０３１上または近傍のタッチ操作を検出した後、タッチパネル３０３１は、タッチイベントの種類を判定するためにプロセッサ３０８にタッチ操作を転送する。次に、プロセッサ３０８は、タッチイベントの種類に従って、表示装置２００上に対応する視覚出力を提供する。図３において、タッチパネル３０３１および表示装置２００は、携帯電話の入出力機能を実装するために２つの独立した構成要素として使用される。しかしながら、いくつかの実施形態では、タッチパネル３０３１および表示装置２００は、携帯電話の入力および出力機能を実装するために統合されてもよい。
【００６２】
携帯電話は、光センサ、モーションセンサ、または別のセンサなどの少なくとも１つのセンサ３０５をさらに含み得る。具体的には、光センサは、周囲光センサおよび近接センサを含んでもよく、周囲光センサは、周囲光の明るさに従って表示画面２０２の輝度を調整し得、近接センサは、携帯電話が耳に移動すると、表示画面２０２および／またはバックライト消灯し得る。モーションセンサの一種として、加速度センサは、全方向（一般に３軸）の加速度を検出し、静止状態で重力の値や方向を検出することができ、携帯電話を識別する用途（例えば、画面の向き、関連するゲーム、または磁力計の姿勢の較正）、振動識別に関連する機能（例えば、歩数計または脳卒中）などを含む。ジャイロスコープ、気圧計、湿度計、温度計、または赤外線センサなどの、携帯電話上にさらに配置することができる別のセンサについては、詳細は本明細書では説明されない。
【００６３】
音声周波数回路３０６、スピーカ３０６１、およびマイクロホン３０６２は、ユーザと携帯電話との間のオーディオインタフェースを提供することができる。音声周波数回路３０６は、受信した音声データを電気信号に変換してスピーカ３０６１に送信し、スピーカ３０６１は、電気信号を音声信号に変換して出力する。また、マイクロホン３０６２は、集音された音声信号を電気信号に変換し、音声周波数回路３０６は、電気信号を受信して音声データに変換し、音声データを処理するためにプロセッサ３０８に出力し、プロセッサ３０８に送信するＲＦ回路３０１を用いて、
してもよい。
【００６４】
ＷｉＦｉは、近距離無線伝送技術に属する。携帯電話は、ＷｉＦｉモジュール３０７を使用することによって、ユーザが電子メールを送受信し、ウェブページを閲覧し、ストリーミングメディアにアクセスする手助けをし得る。ＷｉＦｉモジュール３０７は、ユーザに無線ブロードバンドインターネットアクセスを提供する。ＷｉＦｉモジュール３０７が図３に示されているが、ＷｉＦｉモジュール３０７は携帯電話の必須構成要素ではなく、本発明の要旨の範囲を逸脱することなく必要に応じて省略し得る。
【００６５】
プロセッサ３０８は、携帯電話の制御センターであり、様々なインタフェースおよび配線を使用して携帯電話全体のすべての部分を接続する。プロセッサ３０８は、メモリ３０２に格納されたソフトウェアプログラムおよび／またはモジュールを走らせまたは実行し、かつメモリ３０２に格納されたデータを呼び出すことによって、全体的な監視を携帯電話で行うために携帯電話のさまざまな機能およびデータ処理を実行する。任意選択的に、プロセッサ３０８は、１つまたは複数の処理ユニットを含み得る。好ましくは、プロセッサ３０８は、アプリケーションプロセッサとモデムプロセッサとを統合してもよい。アプリケーションプロセッサは、主にオペレーティングシステム、ユーザインタフェース、アプリケーションプログラムなどを処理し、モデムプロセッサは主に無線通信を処理する。前述のモデムプロセッサは、プロセッサ３０８に統合されなくてもよいことが理解されよう。
【００６６】
携帯電話は、各構成要素に電力を供給する電源３０９（バッテリなど）をさらに含む。好ましくは、電源管理システムを使用してプロセッサ３０８に論理的に接続され、電源管理システムを使用して充電、放電、および電力消費の管理などの機能を実装することができる。
【００６７】
図示していないが、携帯電話はカメラ、ブルートゥースモジュールなどをさらに含んでいてもよく、その詳細はここでは説明しない。
【００６８】
ユーザは、覗き見防止フィルムを剥がし、その後、覗き見防止フィルムを装着することなく、異なる使用シナリオに従って、表示画面の異なる視野角を自由に設定することができる。また、覗き見防止フィルムを表示画面に装着すると、各保持壁構造が表示画面の黒色画素領域と完全に重なり合うため、保持壁構造が画素発光領域と重なり合うことがなくなり、解像度および輝度は影響を受けない。
【００６９】
以上、本願の実施形態における端子３００について説明したが、本願の実施形態における覗き見防止フィルム１００の製造方法については、以下に説明する。
【００７０】
図７に示すように、端末表示方法は以下のステップを含む。
【００７１】
６０１。視野角調整指示を取得する。
【００７２】
本発明のこの実施形態において、実行体は、実施形態における端末３００であり、端末のプロセッサは、視野角調整命令を取得して実行してもよい。実行可能ないくつかの実施形態では、命令は、画面上でユーザによって実行される操作であってもよく、または受信された命令であってもよく、これは本明細書では限定されない。
【００７３】
６０２。透明充填液中の複数の不透明粒子の配分方法を制御するように視野角調整命令に従って配線層の電圧を調整し、透明充填液中の複数の不透明粒子の配分方法は、端末の表示視野角を決定する。
【００７４】
いくつかの実現可能な実施形態では、端末によって受信された命令が表示視野角を狭める場合、配線層の電源が投入され、不透明粒子によって運ばれる電荷の電気特性と同じ電気特性を有する電圧は、透明充填液中の不透明粒子をドライバ層から離間するように駆動するように、配線層とは反対方向である。このように、保持壁構造は、特定の高さを有する不透明な保持壁を形成し、保持壁の高さは、端末の表示視野角を決定する。
【００７５】
なお、配線層に電気特性が不透明粒子のものと同じ電荷が印加される場合には、保持壁構造の高さがゼロとなるように不透明粒子がドライバ層に近接し得る。端末を回転させても保持壁構造の制御を確実にされることができる。
【００７６】
端末により受信された命令が表示視野角を広角にする場合には、不透明粒子によって運ばれた電荷の電気特性と反対の電圧が配線層に印加されるか、またはいかなる電圧も印加されないので、透明充填液中の不透明粒子がドライバ層に接して動くか、または不透明粒子が自動的にドライバ層の表面上に落ちる。このようにして、保持壁構造の不透明な保持壁の高さが減少されるかまたはゼロになり、それによって表示視野角が決定される。
【００７７】
図８に示すように、いくつかの他の実現可能な実施形態では、端末がドライバ層で電源投入されると、電源投入のための電圧の電気特性が非透明粒子の電気特性と同じである場合、同様の電荷は相互に反発するという原理によりドライバ層から離間しており、不透明粒子は、保持壁構造中の小さな部分に集中的に配分され、画素をブロックする役割を果たし、視野角が狭くなる。この場合、ドライバ層によって駆動され、不透明粒子は、ある程度の覗き見防止の役割を果たすことができる。
【００７８】
具体的には、電圧と不透明粒子が同じ電気特性を有し、電圧が比較的大きい場合、画素を見ることができる最小視野角はθ３であってもよく、電圧と非透明粒子が同じ電気特性を有し、電圧が比較的小さい場合、画素を見ることができる最小視野角はθ１であってもよい。いくつかの実現可能な実施形態では、θ１は１８０度であってもよく、すなわち、覗き見防止効果はなく、これは本明細書では限定されない。印加された電圧の一部が不透明粒子と同じ電気特性を有し、印加された電圧の他の部分が逆の電気特性を有する場合、異なる電気特性を有する電圧の大きさを制御し得、θ１≧θ２≧θ３である。
【００７９】
しかし、図８に示す角度θ２’と角度θ３’は、実際には覗き見防止効果がない。より良い覗き見防止効果を達成するために、不透明粒子は異なる量の電気を運び得る。このようにして、ドライバ層に電圧が加えられると、不透明粒子は、保持壁構造内に均一に配分されることができる。図９に示すように、ドライバ層で電源を投入すると、大きな角度からの光を遮るために、視野角を狭くするように不透明粒子が保持壁構造内に均一に配分されてもよく、不透明保持壁を保持壁構造に形成してもよい。端末の電源が投入されていない場合や、電源投入時の電圧の電気特性が不透明粒子の電気特性と逆の場合、透明な保持壁は従来の光の方向を変えず、小さなライブボールの高さを制御することによって視野角を制御し得る。
【００８０】
ユーザは、覗き見防止フィルムを剥がし、その後覗き見防止フィルムを装着することなく、異なる使用シナリオに従って、表示画面の異なる視野角を自由に設定することができる。また、覗き見防止フィルムを表示画面に装着すると、各保持壁構造が表示画面の黒色画素領域と完全に重なり合うため、保持壁構造が画素発光領域と重なり合うことがなくなり、解像度および輝度は影響を受けない。
【００８１】
当業者であれば、簡潔かつ簡単な説明のために、上記のシステム、装置、およびユニットの詳細な作業プロセスについて、前述の方法の実施形態における対応するプロセスを参照し得ることは明らかであり 詳細な説明は本明細書では再度記載しない。
【００８２】
本願で提供されるいくつかの実施形態において、開示されたシステム、装置、および方法は、他の方法で実施され得ることを理解されたい。例えば、説明された装置の実施形態は単なる一例に過ぎない。例えば、ユニット分割は単に論理的な機能分割であり、実際の実装では他の分割であってもよい。例えば、複数のユニットまたは構成要素を組み合わせても、別のシステムに統合してもよいし、一部の機能を無視しても、または実行しなくてもよい。さらに、表示された、または議論された相互結合または直接結合または通信接続は、いくつかのインタフェースを使用することによって実装されてもよい。装置またはユニット間の間接結合または通信接続は、電子的、機械的または他の形態で実施されてもよい。
【００８３】
別個の部品として記載されたユニットは物理的に分離していてもいなくてもよく、ユニットとして表示されている部品は物理ユニットであってもなくてもよく、１箇所に配置されてもよいし、複数のネットワークユニットに分散されてもよい。ユニットの一部または全部は、実施形態の解決策の目的を達成するための実際の要件に従って選択されてもよい。
【００８４】
また、本発明の実施形態における機能部は、１つの処理部に統合されてもよいし、ユニットのそれぞれは、物理的に単独で存在してもよいし、２つ以上のユニットが１つのユニットに一体化されてもよい。統合されたユニットは、ハードウェアの形態で実装されてもよく、ソフトウェア機能ユニットの形態で実装されてもよい。
【００８５】
統合されたユニットがソフトウェア機能ユニットの形態で実装され、独立した製品として販売もしくは使用される場合、統合されたユニットはコンピュータ可読記憶媒体に格納されてもよい。そのような理解に基づいて、本質的に本発明の技術的解決策、または先行技術に寄与する部分、または技術的解決策のすべてまたはいくつかは、ソフトウェア製品の形態で実施されてもよい。ソフトウェア製品は、記憶媒体に記憶されており、コンピュータデバイス（パーソナルコンピュータ、サーバ、またはネットワークデバイスとなり得る）に、本発明の実施形態に記載の方法のステップのすべてまたは一部を実行するよう指示するためのいくつかの命令を含む。上記の記憶媒体は、ＵＳＢフラッシュドライブ、リムーバブルハードディスク、リードオンリーメモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスク、または光ディスクなどを含む。
【００８６】
上述の実施形態は、本発明の技術的解決策を説明するためのものに過ぎず、本発明を限定するものではない。本発明は、上述の実施形態を参照して詳細に説明されているが、当業者であれば、上述の実施形態に記載された技術的解決策をさらに変更してもよく、またはその技術的特徴の一部を、本発明の実施形態の技術的解決策の精神と範囲から逸脱することなく等価な物に交換し得ることを理解されたい。
【国際調査報告】
2019514044.tif 000012
2019514044.tif 000013
2019514044.tif 000014
2019514044.tif 000015